(57)【要約】【課題】この発明は、簡易な構成で衛星からの放送電波を妨害なく効率的に受信し得る放送受信装置及び放送受信方法を提供することを目的としている。【解決手段】２つのアンテナから得られる信号を用いて衛星放送を受信する放送受信端末１３において、３つ以上のアンテナ２０ａ〜２０ｄが設置された本体１５と、この本体１５に設置された各アンテナ２０ａ〜２０ｄから得られる信号のレベルに基づいて、各アンテナ２０ａ〜２０ｄから得られる信号のうちから２つの信号を選択し加算して受信信号とする。この場合、本体１５に設置された各アンテナ２０ａ〜２０ｄから得られる信号のうち、レベルの高い２つの信号を選択し加算する。【選択図】    図２
2004254119.tif 000002
【特許請求の範囲】
【請求項１】
第１及び第２のアンテナから得られる信号を用いて衛星放送を受信する放送受信装置において、
３つ以上のアンテナが設置された本体と、
この本体に設置された各アンテナから得られる信号のレベルに基づいて、前記各アンテナから得られる信号のうちから２つの信号を選択し加算して受信信号とする制御手段とを具備してなることを特徴とする放送受信装置。
【請求項２】
前記制御手段は、前記本体に設置された各アンテナから得られる信号のうちから、レベルの高い２つの信号を選択することを特徴とする請求項１記載の放送受信装置。
【請求項３】
前記制御手段は、
前記本体に設置された各アンテナから得られる信号のレベルをそれぞれ検出する検出手段と、
この検出手段の検出結果に基づいて、前記本体に設置された各アンテナから得られる信号のうちから、２つの信号を選択する選択手段とを具備してなることを特徴とする請求項１記載の放送受信装置。
【請求項４】
前記３つ以上のアンテナは、前記本体の２つ以上の異なる面に分散されて設置されることを特徴とする請求項１記載の放送受信装置。
【請求項５】
前記本体のうち使用状態で上方を向く面に、前記３つ以上のアンテナのうちの少なくとも２つを設置することを特徴とする請求項１記載の放送受信装置。
【請求項６】
前記本体に開閉自在に支持された表示部を備え、
前記本体の前記表示部を開位置にした使用状態で上方を向く面に、少なくとも２つのアンテナを設置することを特徴とする請求項１記載の放送受信装置。
【請求項７】
前記本体は、表示部及び操作部を備え、
前記本体のうち前記表示部及び操作部の使用状態で上方を向く面に、少なくとも２つのアンテナを設置したことを特徴とする請求項１記載の放送受信装置。
【請求項８】
本体に設置された３つ以上のアンテナで衛星放送を受信する工程と、
前記３つ以上のアンテナから得られる信号のレベルに基づいて、前記各アンテナから得られる信号のうちから、２つの信号を選択し加算して受信信号とする工程とを有することを特徴とする放送受信方法。
【請求項９】
前記選択した２つの信号を加算した受信信号に、再生のための信号処理を施す工程を有することを特徴とする請求項８記載の放送受信方法。
【請求項１０】
前記２つの信号を選択し加算する工程は、前記本体に設置された各アンテナから得られる信号のうちから、レベルの高い２つの信号を選択し加算することを特徴とする請求項８記載の放送受信方法。
【請求項１１】
前記２つの信号を選択し加算する工程は、
前記本体に設置された各アンテナから得られる信号のレベルをそれぞれ検出する工程と、
このレベル検出結果に基づいて、前記本体に設置された各アンテナから得られる信号のうちから、２つの信号を選択し加算する工程とを有することを特徴とする請求項８記載の放送受信方法。
【発明の詳細な説明】
【０００１】
【発明の属する技術分野】
この発明は、衛星放送を受信する携帯型の放送受信装置に関する。また、この発明は、衛星放送を受信する放送受信方法に関する。
【０００２】
【従来の技術】
周知のように、現在、衛星を介してテレビジョン放送、ラジオ放送及びデータ放送等を行ない、これらの放送コンテンツを携帯型の放送受信端末により移動しながら受信可能とする、いわゆるモバイルＴＶ（Ｔｅｌｅｖｉｓｉｏｎ）放送システムが開発されている。
【０００３】
ところで、このようなモバイルＴＶ放送システムにあっては、放送受信端末を小型軽量化し、ユーザが手で持った状態で、操作や放送コンテンツの視聴を行なわせている。このため、モバイルＴＶ放送システムの実用化に際しては、放送受信端末が、衛星からの放送電波を妨害なく効率的に受信できるような対策を施すことが肝要となる。
【０００４】
ここで、特許文献１には、屋内のみならず、移動体搭載用、携帯用としてのニーズに対応した簡易受信装置で受信可能な衛星放送システムが開示されている。しかしながら、この特許文献１では、衛星の送信アンテナ自体を改良する構成であるため、実用化に不向きとなる。
【０００５】
また、特許文献２には、液晶テレビ装置等の移動状態で使用されるテレビ受信機に適用され、映像、音声共に安定した良好な受信を行なうことが可能なアンテナ制御装置が開示されている。
【０００６】
しかしながら、この特許文献２では、２つの受信アンテナで受信した信号を加算し、その加算信号レベルに基づいて一方の受信アンテナで得られた受信信号の利得制御を行なうようにしたもので、回路構成が複雑化して実用化に不向きとなる。
【０００７】
【特許文献１】
特開平１０−３０８９４１号公報
【０００８】
【特許文献２】
特開平８−２３４８２号公報
【０００９】
【発明が解決しようとする課題】
そこで、この発明は上記事情を考慮してなされたもので、簡易な構成で衛星からの放送電波を妨害なく効率的に受信し得る放送受信装置及び放送受信方法を提供することを目的とする。
【００１０】
【課題を解決するための手段】
この発明に係る放送受信装置は、第１及び第２のアンテナから得られる信号を用いて衛星放送を受信するものを対象としている。そして、３つ以上のアンテナが設置された本体と、この本体に設置された各アンテナから得られる信号のレベルに基づいて、各アンテナから得られる信号のうちから２つの信号を選択し加算して受信信号とする制御手段とを備えるようにしたものである。
【００１１】
また、この発明に係る放送受信方法は、本体に設置された３つ以上のアンテナで衛星放送を受信する工程と、３つ以上のアンテナから得られる信号のレベルに基づいて、各アンテナから得られる信号のうちから２つの信号を選択し加算して受信信号とする工程とを有するようにしたものである。
【００１２】
上記のような構成及び方法によれば、３つ以上のアンテナから得られた信号のうち、そのレベルに基づいて２つの信号を選択し加算して受信信号とするようにしたので、簡易な構成で衛星からの放送電波を妨害なく効率的に受信することが可能となる。
【００１３】
【発明の実施の形態】
以下、この発明の第１の実施の形態について図面を参照して詳細に説明する。図１は、この第１の実施の形態で説明するモバイルＴＶ放送システムを概略的に示している。
【００１４】
すなわち、放送局１１から送信された放送コンテンツは、衛星１２を介してユーザの所持する携帯型の放送受信端末１３に受信されることにより、ユーザの視聴に供される。
【００１５】
また、このモバイルＴＶ放送システムでは、衛星１２からの放送電波を、ギャップフィラー１４を介して、例えば屋内や地下等の衛星１２からの放送電波が届かない場所に存在する放送受信端末１３に供給している。
【００１６】
図２は、上記放送受信端末１３の外観を示している。すなわち、この放送受信端末１３は、薄厚の直方体状に形成された本体１５を備えている。この本体１５の長手方向の一端部は、その一方の平面１５ａの厚みが階段状に増加して電池収納部１６となされている。
【００１７】
また、本体１５の一方の平面１５ａのうち、電池収納部１６を除く部分は、薄厚の直方体状に形成されたカバー体１７によって開閉される。この場合、本体１５の一方の平面１５ａのうち、電池収納部１６に繋がる一方の周縁部分に、カバー体１７の１つの周縁部分が回動自在に支持されている。
【００１８】
これにより、カバー体１７は、本体１５の一方の平面１５ａのうち、電池収納部１６を除く部分を覆う閉位置と、図２に示すように、本体１５の一方の平面１５ａから所望の角度で起立する開位置とを取り得ることになる。
【００１９】
ここで、上記カバー体１７のうち、本体１５の一方の平面１５ａに対向する平面１７ａには、映像表示部としての液晶パネル１８が設置されている。また、本体１５の一方の平面１５ａのうち、電池収納部１６を除く部分には、複数の操作子を有する操作部１９が設置されている。
【００２０】
この場合、上記操作部１９は、本体１５の一方の平面１５ａのうち、カバー体１７を支持している周縁部分と反対側の周縁部分に近い領域に設置される。換言すれば、操作部１９は、本体１５の一方の平面１５ａのうち、カバー体１７を支持している周縁部分から所定間隔離れた領域に設置される。
【００２１】
そして、本体１５には、その一方の平面１５ａのうち、カバー体１７を支持している周縁部分に近い領域に、ほぼ四角形の平板状に形成された２つのアンテナ２０ａ，２０ｂが埋設されている。
【００２２】
また、本体１５には、その電池収納部１６が形成されている側と反対側の側面１５ｂに、ほぼ四角形の平板状に形成されたアンテナ２０ｃが埋設されている。さらに、本体１５には、そのカバー体１７を支持している側と反対側の側面１５ｃに、ほぼ四角形の平板状に形成されたアンテナ２０ｄが埋設されている。
【００２３】
すなわち、この放送受信端末１３には、その本体１５の各所に、複数（図示の場合は４つ）のアンテナ２０ａ〜２０ｄが設置されている。そして、この放送受信端末１３では、４つのアンテナ２０ａ〜２０ｄのうち、受信感度の良好な２つのアンテナから得られる放送信号を取り出して、信号処理を行なうようにしている。
【００２４】
図３は、上記放送受信端末１３の信号処理系を示している。この放送受信端末１３は、ダイバーシティ受信方式を採用しており、２．６ＧＨｚの放送電波をダイレクト受信して最大３ｄＢの利得を得ている。
【００２５】
すなわち、上記した４つのアンテナ２０ａ〜２０ｄで受信された放送信号は、それぞれ、ＲＦ（Ｒａｄｉｏ  Ｆｒｅｑｕｅｎｃｙ）モジュール部２１に供給されて、受信感度の良好な２つのアンテナから得られる放送信号が選択される。その後、このＲＦモジュール部２１は、選択した２つの放送信号を加算して受信信号とし、選局処理、ＣＤＭ（Ｃｏｄｅ  Ｄｉｖｉｓｉｏｎ  Ｍｕｌｔｉｐｌｅｘ）復調処理及び認証処理等を施している。
【００２６】
そして、このＲＦモジュール部２１から出力された放送信号は、デコード処理部２２に供給されてＭＰＥＧ（Ｍｏｖｉｎｇ  Ｐｉｃｔｕｒｅ  Ｅｘｐｅｒｔｓ  Ｇｒｏｕｐ）４規格のデコード処理が施される。
【００２７】
また、このデコード処理部２２は、デコード処理後の音声信号をアナログ化して音声出力端子２３を介して外部に出力可能としている。さらに、このデコード処理部２２は、デコード処理後の映像信号をグラフィック処理部２４に出力している。
【００２８】
このグラフィック処理部２４は、入力された映像信号に所定のグラフィック処理を施して、アナログ化した後、液晶パネル１８に出力して映像表示させるとともに、映像出力端子２５を介して外部に出力可能としている。
【００２９】
上記した一連の受信動作は、例えばＣＰＵ（Ｃｅｎｔｒａｌ  Ｐｒｏｃｅｓｓｉｎｇ  Ｕｎｉｔ）等でなるシステムコントローラ２６によって統括的に制御されている。このシステムコントローラ２６は、上記操作部１９から得られる操作情報を受けて、ユーザの要求する動作状態が実現されるように、各部２１，２２，２４を制御している。
【００３０】
この場合、システムコントローラ２６は、例えば不揮発性メモリ等でなる第１の記憶部２７に格納された制御プログラムや各種の設定値等に基づいて、また、この第１の記憶部２７をワークエリアとして、各部２１，２２，２４の制御を行なっている。
【００３１】
また、上記システムコントローラ２６は、デコード処理部２２で得られたデジタル音声信号と、グラフィック処理部２４で得られたデジタル映像信号とを、例えば３２Ｍバイトのフラッシュメモリ等でなる第２の記憶部２８に対して、記録再生することができる。
【００３２】
図４は、上記ＲＦモジュール部２１内において、４つのアンテナ２０ａ〜２０ｄで受信された放送信号から、受信感度の良好な２つのアンテナから得られる放送信号を選択し加算するための回路を示している。
【００３３】
すなわち、４つのアンテナ２０ａ〜２０ｄで受信された各放送信号は、それぞれ、レベル検出部２９及びセレクタ３０に供給される。このうち、レベル検出部２９は、入力された４つの放送信号の中からレベルの高い２つを検出し、その検出した２つの放送信号を受信しているアンテナを選択させるための選択信号を生成し、セレクタ３０に出力している。
【００３４】
そして、このセレクタ３０が、レベル検出部２９から出力された選択信号に基づいて、入力された４つの放送信号の中から２つの放送信号を選択し、ここに、４つのアンテナ２０ａ〜２０ｄで受信された放送信号から、受信感度の良好な２つの放送信号が選択されることになる。
【００３５】
なお、セレクタ３０で選択された２つの放送信号は、加算部３１で加算され、以後、選局処理、復調処理及び認証処理等に供される。
【００３６】
上記した第１の実施の形態に示される構成によれば、放送受信端末１３の本体１５の各所に４つのアンテナ２０ａ〜２０ｄを設置し、各アンテナ２０ａ〜２０ｄで受信した放送信号から、受信感度の良好な２つの放送信号を選択し加算して受信信号とするようにしたので、簡易な構成で衛星１２からの放送電波を妨害なく効率的に受信することが可能になる。
【００３７】
ここで、本体１５の一方の平面１５ａのうち、カバー体１７を支持している周縁部分に近い領域に、２つのアンテナ２０ａ，２０ｂを設置したことにより、以下のような利点が生じる。
【００３８】
すなわち、再び図２を参照しながら説明すると、上記放送受信端末１３は、ユーザが、本体１５をほぼ水平となるように両手で持ち、カバー体１７を本体１５の一方の平面１５ａから所定の角度で起立させ、液晶パネル１８を目視可能な状態にして使用される。
【００３９】
このとき、放送受信端末１３は、カバー体１７の本体１５との接続部が下側となるように、つまり、操作部１９が上方を向くように、その本体１５がユーザに支持される。
【００４０】
すなわち、放送受信端末１３は、通常の使用状態においては、常時、その本体１５の一方の平面１５ａが上方、つまり、衛星１２からの放送電波が到来する方向を向くことになる。
【００４１】
このため、通常の使用状態において必ず上方を向く、本体１５の一方の平面１５ａに沿って２つのアンテナ２０ａ，２０ｂを埋設することにより、これらのアンテナ２０ａ，２０ｂには、衛星１２からの放送電波が、その入射角度が０°となることなく効率的に受信されることになる。
【００４２】
また、本体１５の一方の平面１５ａのうち、カバー体１７を支持している周縁部分から所定間隔離れた領域に操作部１９を設置し、カバー体１７を支持している周縁部分に近い領域、つまり、液晶パネル１８の近傍となる領域に２つのアンテナ２０ａ，２０ｂを設置している。
【００４３】
すなわち、通常の使用状態において、ユーザの手元に近い領域に操作部１９を設置し、ユーザから遠くユーザが手を延ばす必要のない領域に２つのアンテナ２０ａ，２０ｂを設置している。つまり、本体１５内で、操作部１９の設置位置とアンテナ２０ａ，２０ｂの設置位置とを切り離すようにしている。このため、ユーザの手によって２つのアンテナ２０ａ，２０ｂが覆われてしまう可能性が少なくなり、放送電波を妨害なく効率的に受信することができる。
【００４４】
このため、通常の使用状態においては、アンテナ２０ａ，２０ｂの受信感度の方が、他のアンテナ２０ｃ，２０ｄの受信感度よりも良好であり、アンテナ２０ａ，２０ｂから得られる放送信号が信号処理に供される。
【００４５】
ところが、ユーザが本体１５を傾けた場合には、例えば側面１５ｂに設置されたアンテナ２０ｃの受信感度の方が、アンテナ２０ａの受信感度よりも良くなることがある。この場合、アンテナ２０ｂ，２０ｃで受信された放送信号が選択され加算されて受信信号として信号処理に供される。
【００４６】
図５は、この発明の第２の実施の形態を示している。この第２の実施の形態では、第１の実施の形態のように、本体１５に対して開閉するカバー体１７を備えない放送受信端末１３を説明している。
【００４７】
すなわち、この放送受信端末１３は、薄厚の直方体状に形成された本体３２を備えている。そして、この放送受信端末１３は、通常の使用状態において、本体３２をユーザが直立させるように持って使用する。
【００４８】
この場合、本体３２の一方の平面３２ａには、上方から、液晶パネル３３及び複数の操作子を有する操作部３４が設置されている。また、本体３２の最下部は、電池収納部３５となっている。
【００４９】
ここで、本体３２には、その通常の使用状態において上方を向く面３２ｂに、２つのアンテナ３６ａ，３６ｂが埋設されている。また、本体３２には、その一方の側面３２ｃにアンテナ３６ｃが埋設され、電池収納部３５にアンテナ３６ｄが埋設されている。
【００５０】
そして、この第２の実施の形態によっても、各アンテナ３６ａ〜３６ｄで受信した放送信号の中から、受信感度の良好な２つの放送信号を選択し加算して受信信号とすることによって、簡易な構成で衛星１２からの放送電波を妨害なく効率的に受信することが可能になる。
【００５１】
また、上記した第１及び第２の実施の形態では、本体１５，３２に４つのアンテナ２０ａ〜２０ｄ，３６ａ〜３６ｄを設置するようにしたが、設置するアンテナの数が３以上であれば、その数及び設置場所等は必要に応じて適宜設定変更が可能である。ただし、３つ以上のアンテナは、本体１５，３２の２つ以上の異なる面に分散させて設置するのが望ましい。
【００５２】
なお、この発明は上記した各実施の形態に限定されるものではなく、この外その要旨を逸脱しない範囲で種々変形して実施することができる。また、上記した各実施の形態に示される特徴的な構成は、それぞれ矛盾の生じない範囲で任意選択的に組み合わせて実施することができることはもちろんである。
【００５３】
【発明の効果】
以上詳述したようにこの発明によれば、簡易な構成で衛星からの放送電波を妨害なく効率的に受信し得る放送受信装置及び放送受信方法を提供することができる。
【図面の簡単な説明】
【図１】この発明の第１の実施の形態を示すもので、モバイルＴＶ放送システムの概略を説明するために示す図。
【図２】同第１の実施の形態における放送受信端末の外観を説明するために示す斜視図。
【図３】同第１の実施の形態における放送受信端末の信号処理系を説明するために示すブロック構成図。
【図４】同第１の実施の形態における放送受信端末の要部の詳細を説明するために示すブロック構成図。
【図５】この発明の第２の実施の形態における放送受信端末の外観を説明するために示す斜視図。
【符号の説明】
１１…放送局、１２…衛星、１３…放送受信端末、１４…ギャップフィラー、１５…本体、１６…電池収納部、１７…カバー体、１８…液晶パネル、１９…操作部、２０ａ〜２０ｄ…アンテナ、２１…ＲＦモジュール部、２２…デコード処理部、２３…音声出力端子、２４…グラフィック処理部、２５…映像出力端子、２６…システムコントローラ、２７…第１の記憶部、２８…第２の記憶部、２９…レベル検出部、３０…セレクタ、３１…加算部、３２…本体、３３…液晶パネル、３４…操作部、３５…電池収納部、３６ａ〜３６ｄ…アンテナ。
【図１】
2004254119.tif 000003
【図２】
2004254119.tif 000004
【図３】
2004254119.tif 000005
【図４】
2004254119.tif 000006
【図５】
2004254119.tif 000007